(57)【特許請求の範囲】
【請求項１】
光学系の移動量に応じた数のパルス信号を発生するパルス発生手段を有し、前記パルス信号を前記光学系の移動方向に応じて累積することにより、前記光学系の絶対位置を検出する第１の位置検出手段と、
前記第１の位置検出手段に供給される電源のオン・オフを検出する電源検出手段と、
前記電源の供給なしにデータの記憶保持可能な記憶手段と、
前記電源の供給停止の際に、前記第１の位置検出手段により検出された、前記電源供給停止時の前記光学系の絶対位置データを前記記憶手段に記憶させ、前記電源の供給開始の際に、前記記憶手段により記憶された絶対位置データを読み出して前記第１の位置検出手段により検出される絶対位置を、前記読み出された絶対位置データに初期化する記憶制御手段と、
を備えた光学機器において、
前記光学系の移動可能範囲を複数の領域に分割し、該光学系が現在位置する領域を検出する第２の位置検出手段と、
前記記憶手段から読み出された絶対位置データが、前記第２の位置検出手段によって検出された領域とは別の領域に位置するデータである場合は、前記第１の位置検出手段により検出される絶対位置を、前記第２の位置検出手段によって検出された領域内の位置に再設定する絶対位置再設定手段と
を備えることを特徴とする光学機器。
【請求項２】
前記第２の位置検出手段は、導電部材と、前記光学系の位置に応じて互いに異なる領域で該導電部材に接触可能な複数のブラシとを備えることを特徴とする請求項１に記載の光学機器。
【請求項３】
前記記憶制御手段は、前記記憶手段に前回絶対位置データを記憶してから、一度も前記光学系が駆動されていない場合は、前記記憶手段に対する絶対位置データの記憶更新を行わないことを特徴とする請求項１または２に記載の光学機器。
【請求項４】
前記絶対位置再設定手段が前記絶対位置として再設定する前記領域内の位置は、前記第２の位置検出手段によって検出された領域の中心位置であることを特徴とする請求項１〜３のいずれか１つに記載の光学機器。
【請求項５】
前記絶対位置再設定手段は、前記第２の位置検出手段が前記領域の境界を検出した場合、該境界の位置データを前記第１の位置検出手段により検出される絶対位置として再設定することを特徴とする請求項１〜４のいずれか１つに記載の光学機器。
【請求項６】
カメラ本体と、該カメラ本体に脱着可能な交換レンズとを備えたカメラシステムからなり、前記交換レンズは、前記光学系、パルス発生手段および第２の位置検出手段を有することを特徴とする請求項１〜５のいずれか１つに記載の光学機器。
【請求項７】
前記電源の供給停止の際に、前記記憶制御手段に前記光学系の絶対位置データを前記記憶手段に記憶させる動作を行わせるための電力を供給する補助電源を備えることを特徴とする請求項１〜６のいずれか１つに記載の光学機器。
【発明の詳細な説明】
【技術分野】
【０００１】
本発明は、カメラや交換レンズおよび光学顕微鏡などの光学機器に関し、特に光学系の絶対位置を、光学系の所定移動量毎に発生するパルス信号を累積して検出する光学機器に関する。
【背景技術】
【０００２】
従来より、カメラ本体と交換レンズとからなる光学機器において、交換レンズの光学系の絶対位置を検出する手段として種々の提案がなされている。
例えば、特許文献１に記載の撮影システムでは、交換レンズの光学系（フォーカシングレンズ）の所定移動量毎に発生するパルス信号を、パルスカウンタで累積して絶対位置を検出する方式に関して述べられている。この特徴は、電源オフ時に光学系の絶対位置、すなわちパルスカウント値をＥＥＰＲＯＭ等の不揮発性記憶手段に記憶し、電源オン時にＥＥＰＲＯＭから読み出したカウント値でパルスカウンタを初期化することである。こうすることにより、電源オン時に、光学系を一旦無限端あるいは至近端のリセット位置に移動させて、パルスカウンタをリセットする必要が無くなるという利点がある。
【特許文献１】第２７５４３８３号公報
【発明の開示】
【発明が解決しようとする課題】
【０００３】
しかしながら、特許文献１に記載の撮影システムでは、ＥＥＰＲＯＭの書き込みや読み出しのエラーによって、光学系の実際の絶対位置と、パルスカウントによる絶対位置との相関が取れなくなってしまった場合の対策については考慮されていなかった。また、電源オフ時に光学系が外部から移動させられてしまった場合に、光学系の実際の絶対位置と、記憶されている、パルスカウントによる絶対位置にずれが生じてしまうことについても考慮されていなかった。
【０００４】
このように、光学系の実際の絶対位置と、パルスカウントによる絶対位置にずれが生じてしまった場合には、次のような問題が発生する。
すなわち、カメラ本体と交換レンズからなるカメラシステムでは、カメラがオートフォーカス演算をするために必要な情報を交換レンズ内に持ち、カメラとレンズ間の通信によって必要な情報の送受信を行っている。交換レンズは、現在の光学系（フォーカシングレンズまたはズーミングレンズ）の絶対位置を検出し、その絶対位置に応じた情報を選択してカメラに送信するようにしている。交換レンズは、パルスカウントによる絶対位置を基にカメラに送信する情報を選択するので、光学系の実際の位置と、パルスカウントによる絶対位置にずれが生じた場合、誤った情報をカメラに送信してしまうことになる。これにより、カメラのオートフォーカス演算に誤差が生じ、結果としてピントがずれた画像が撮影されてしまうという問題があった。
本発明の課題は、上述の問題点を解消し、光学系の所定移動量毎に発生するパルス信号を累積して絶対位置を検出する光学機器において、信頼性の高い絶対位置検出を行うことができる光学機器を提供することである。
【課題を解決するための手段】
【０００５】
上記の課題を解決するための光学機器は、光学系の移動量に応じた数のパルス信号を発生するパルス発生手段を有し、前記パルス信号を前記光学系の移動方向に応じて累積することにより、前記光学系の絶対位置を検出する第１の位置検出手段を備える。また、前記第１の位置検出手段に供給される電源のオン・オフを検出する電源検出手段と、前記電源の供給なしにデータの記憶保持可能な記憶手段とを備える。さらに、前記電源の供給停止の際、前記第１の位置検出手段により検出された前記電源供給停止時の絶対位置データを前記記憶手段に記憶させ、前記電源の供給開始の際、前記第１の位置検出手段により検出される絶対位置を初期化する記憶制御手段を備える。そして、本発明では、前記光学系が複数の領域のいずれに位置するかを検出する第２の位置検出手段と、該第２の位置検出手段により検出された領域に応じて前記第１の位置検出手段により検出される絶対位置を再設定する手段とを備えることを特徴とする。ここで、前記第２の位置検出手段は、光学系の移動可能範囲を複数の領域に分割し、該光学系が現在位置する領域を検出する。また、絶対位置再設定手段は、前記記憶手段から読み出された絶対位置データが、前記第２の位置検出手段によって検出された領域とは別の領域に位置するデータであるか否かを判定する。そして、絶対位置データが別の領域に位置するデータである場合は、前記第１の位置検出手段により検出される絶対位置を、前記第２の位置検出手段によって検出された領域内の位置に再設定する。
【発明の効果】
【０００６】
本発明によれば、光学系の所定移動量毎に発生するパルス信号を累積して絶対位置を検出する光学機器において、信頼性の高い絶対位置検出を行うことができる光学機器を提供することができる。
【発明を実施するための最良の形態】
【０００７】
本発明の好ましい実施の形態において、前記光学機器は、カメラ本体と、該カメラ本体に脱着可能な交換レンズとを備えたカメラシステムである。交換レンズは、前記光学系と第１および第２の位置検出手段を有する。なお、第１の位置検出手段は、少なくともエンコーダ等のパルス発生手段を交換レンズ側に設け、このパルス信号を前記光学系の移動方向に応じて累積するカウンタ等はカメラ本体側に設けることもできる。前記光学系は、例えばフォーカシングレンズまたはズーミングレンズである。
前記第２の位置検出手段は、ブラシと導電部材を用いて光学系の絶対位置を検出するものを用いる。この場合、ブラシと導電部材の一方を前記光学系に連動させ、他方は前記交換レンズの固定鏡筒等に固定する。また、ブラシは複数個を用い、それぞれ異なる領域で導電部材と接触するように構成する。
【０００８】
前記記憶制御手段は、前記記憶手段に前回絶対位置データを記憶してから、一度も前記光学系が駆動されていない場合は、前記記憶手段に対する絶対位置データの記憶更新を行わないように構成することが好ましい。
前記絶対位置再設定手段が、前記第１の位置検出手段に再設定する領域内の位置は、例えばその領域の中心の位置または両端のいずれかの位置である。
【０００９】
前記絶対位置再設定手段は、前記第２の位置検出手段が前記領域の境界を検出した場合、該境界の位置データを前記第１の位置検出手段により検出される絶対位置として再設定することが好ましい。この再設定は、前記第１の位置検出手段により検出される絶対位置と、前記領域の境界の位置との差が所定量以上である場合にのみ行うようにしてもよい。
前記電源の供給停止の際に、前記記憶制御手段に前記光学系の絶対位置データを前記記憶手段に記憶させる動作を行わせるための電力を供給する補助電源を備えることが好ましい。前記記憶制御手段、記憶手段、補助電源を交換レンズ側に配置すれば、交換レンズをカメラ本体から外した場合にも交換レンズに光学系の絶対位置を記憶させることができる。
【実施例】
【００１０】
本発明を図示の実施例に基づいて詳細に説明する。
図１は本発明の一実施例に係る光学機器の構成を示す構成図である。同図において、１はカメラ本体、２は交換レンズである。
交換レンズ２において、３は撮影レンズであり、フォーカシングレンズ４および変倍レンズ５を備える。フォーカシングレンズ４はフォーカスアクチュエータ６により駆動され、撮影レンズ３の焦点調節を行う。変倍レンズ５は公知の変倍操作により撮影レンズ３の焦点距離を変化させる。
７は交換レンズ２のマイクロコンピュータ（以下、レンズマイコンと記す）（記憶制御手段および絶対位置再設定手段）であり、ＲＯＭ、ＲＡＭを有する１チップマイコンである。レンズマイコン７は、ＲＯＭに格納されたシーケンスプログラムに従って、フォーカスアクチュエータ６の駆動、後述するカメラのマイクロコンピュータ２５との通信、および後述する記憶手段２７との間で後述パルスカウント値（位置データ）の書き込み、読み出しの制御を行う。
８はモータドライバであり、フォーカスアクチュエータ６を駆動するための駆動信号がレンズマイコン７から入力される。
【００１１】
２９はパルス発生手段であり、フォーカシングレンズ４の所定移動量毎にパルス信号を発生する。このパルス信号はレンズマイコン７に入力される。レンズマイコン７は、レンズマイコン７内のパルスカウンタでパルス数をカウントする。ここでは、フォーカシングレンズ４を無限方向に駆動しているときはカウントアップし、至近方向に駆動するときはカウントダウンするようにしている。フォーカシングレンズ４の至近端をリセット位置とし、このリセット位置からのパルス数をカウントすることにより、フォーカシングレンズ４の絶対位置を検出することができる。
【００１２】
３０は絶対位置検出手段（第２の位置検出手段）であり、フォーカシングレンズ４の絶対位置を検出するためのものである。図２は、絶対位置検出手段３０の構成を示す図である。図２に示すような導電部４０と非導通部４１から成るパターンがフォーカシングレンズ４に固着されている。導電部４０は接地されている。また、導電ブラシ４２を固定するための非導電部材４３は交換レンズ２の固定鏡筒に固着されており、フォーカシングレンズ４の移動に伴って前記パターン上をブラシ４２が矢印方向に滑りながらパターンに１点で接触するように配置設定されている。ブラシ４２は各々、不図示の抵抗を介して電源にプルアップされており、ブラシ４２の電位は各々のブラシが導電部４０と接触している時に“Ｌ”、非導電部４１と接触している時に“Ｈ”となる。ブラシ４２はレンズマイコン７に接続されており、レンズマイコン７はブラシ４２の信号を読み取り、フォーカシングレンズ４の絶対位置、すなわち、領域１から領域４のどこに位置しているかを検出することができる。
【００１３】
再び図１に戻って、２７は記憶手段（第１の位置検出手段）であり、ここでは電源の供給無しにデータを保持することができるＥＥＰＲＯＭを使用している。
２８は補助電源であり、ここではコンデンサを使用しており、カメラ本体１内のバッテリー２６から供給される電源を蓄えておくものである。この補助電源２８は、交換レンズ２がカメラ本体１から外されたときの一時的な電源として使用される。
【００１４】
カメラ本体１において、１０はハーフミラーより成るメインミラーであり、撮影光学系からの光束を光学ファインダ系と撮像素子へ分割する。１１はファインダスクリーン、１２はペンタプリズム、１３は接眼レンズである。１４はサブミラーで、メインミラー１０の透過光を焦点検出センサ１５へ導く。
２５はカメラのマイクロコンピュータ（以下、カメラマイコンと記す）で、ＲＯＭ、ＲＡＭ、Ａ／Ｄ及びＤ／Ａ変換機能を有する１チップマイコンである。カメラマイコン２５は、ＲＯＭに格納されたシーケンスプログラムに従って、自動露出制御、自動焦点調節、撮像素子であるＣＣＤ、表示装置の制御、バッテリー残量の検出、レンズマイコン７との通信を行う。
【００１５】
１６は被写体の輝度を測定するための測光センサである。１７はレリーズ動作制御回路であり、メインミラー１０及びサブミラー１４をクイックリターン制御するための不図示のモータ、不図示の絞りの駆動制御を行う。
１８は撮影レンズ３によって投影された撮影画像をアナログ電気信号に変換するための撮像素子であるＣＣＤである。１９はＣＣＤコントロール部で、ＣＣＤ１８に転送クロック信号やシャッタ信号を供給するタイミングジェネレータ、ＣＣＤ出力信号のノイズ除去、ゲイン処理を行う回路、およびアナログ信号を１０ビットデジタル信号に変換するＡ／Ｄ変換回路等を含んでいる。２０は画像処理部であり、ＣＣＤコントロール部１９より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号の出力を行う。
【００１６】
２１はＬＣＤコントロール部であり、画像処理部２０から転送されたＹＵＶデジタル画像データを受け取り、ＲＧＢデジタル信号へ変換したあと表示駆動部２２へ出力する処理を行う。２２は表示駆動部であり、表示装置２３を駆動するための制御を行う。２３は画像を表示するための装置であり、ＶＧＡ規格（６４０×４８０ドット）ＴＦＴ液晶表示装置である。
【００１７】
ＳＷＭはカメラの外装部材に設けられたメインスイッチであり、撮影者によるスイッチつまみの切り替え操作、あるいは、カメラのグリップを握る等の動作でオンとなるスイッチである。該メインスイッチＳＷＭがオンされると、カメラマイコン２５はＲＯＭに格納された所定のシーケンスプログラムを実行する。ＳＷ１、ＳＷ２は不図示のレリーズボタンに連動したスイッチであり、レリーズボタンの第１段階の押下によりスイッチＳＷ１がオンし、引き続いて第２段階までの押下でスイッチＳＷ２がオンする。カメラマイコン２５は、スイッチＳＷ１のオンで測光露出演算、自動焦点調節動作、ホワイトバランス、ＡＥ等のカメラ設定のロック動作等を行い、スイッチＳＷ２のオンをトリガとしてキャプチャー信号の取り込み動作を行う。
２６はカメラ本体の駆動源であるバッテリーである。バッテリー２６はカメラ本体に対し着脱が可能である。
【００１８】
次に、図３を用いて、本実施例におけるフォーカシングレンズ４の絶対値検出方法を説明する。領域１から領域４は、絶対位置検出手段３０で検出される４分割の領域であり、図２に示したものと共通である。レンズマイコン７内のパルスカウンタは、領域１と領域２の境をリセット位置、すなわち０パルスとして、パルス発生手段が出力するパルスをカウントする。このカウント値より、フォーカシングレンズ４の現在の絶対位置を詳細に検出することができる。レンズマイコン７は、不図示の電源検出手段によって、カメラ本体の電源がオフされたこと、あるいは交換レンズ２がカメラ本体から取り外されたことを検出し、その時のパルスカウント値を記憶手段２７に記憶する。なお、カメラ本体の電源がオフされた際、あるいは交換レンズ２がカメラ本体から取り外された際の交換レンズ２の電源は、補助電源２８を使用する。
一方、カメラ本体１の電源がオンされたとき、あるいは、交換レンズ２がカメラ本体１に取り付けられたときには、レンズマイコン７は記憶手段２７からパルスカウント値を読み出し、パルスカウンタの初期値として設定する。
【００１９】
次に、本実施例のカメラ本体１の動作を、図４のフローチャートに従って説明する。
不図示の電源スイッチがオンされると、カメラマイコン２５にも電源が投入され、カメラマイコン２５は、図４に示すステップ＃４０１からステップ＃４０２へ進んで所定のプログラムの実行を開始する。電源スイッチは電池装填により自動的に切り換わるスイッチや、手動操作で電源投入回路を切り替えるスイッチ、さらには電源装填動作そのもののいずれでも構わない。
【００２０】
ステップ＃４０２では、カメラマイコン２５内のＲＡＭに設定されている制御用のフラグ変数をすべてクリアして初期化する。そして、次のステップ＃４０３にて、メインスイッチＳＷＭの状態判別を行い、該スイッチＳＷＭがオフならステップ＃４０２へ戻り、スイッチＳＷＭがオンとなるまで上記ステップを繰り返し実行し、待機状態となる。その後、メインスイッチＳＷＭがオンと判定すると、ステップ＃４０４へと進む。
ステップ＃４０４ではＣＣＤ１８、ＣＣＤコントロール部１９を含むＣＣＤモジュールを動作可能な状態（ｅｎａｂｌｅ）にし、次のステップ＃４０５にて、撮影時に被写体を確認するための表示装置２３の動作を開始する。
【００２１】
続くステップ＃４０６では、スイッチＳＷ１のオン・オフ検出を行う。該スイッチＳＷ１がオフならステップ＃４０６に留まり、スイッチＳＷ１の検出を繰り返す。前記スイッチＳＷ１がオンであることを判定するとステップ＃４０７へ進む。
ステップ＃４０７では、測光センサ１６により被写体輝度を測定し、該輝度情報に基づいて、所定のプログラムに従い絞り制御値とシャッタ秒時制御値を演算する。そして、ステップ＃４０８にて、焦点検出センサ１５で被写体のデフォーカス量を検出し、カメラマイコン２５はデフォーカス量をレンズマイコン７に送信する。レンズマイコン７は受信したデフォーカス量に基づいてアクチュエータ６を駆動して焦点調節を行う。
【００２２】
続くステップ＃４０９では、スイッチＳＷ２のオン・オフ判別を行う。該スイッチＳＷ２がオフならステップ＃４０６へ戻って、上記ステップ＃４０６乃至＃４０８のフローを繰り返す。一方、該スイッチＳＷ２がオンとなるとステップ＃４１０へ進む。
ステップ＃４１０へ進むと、ここではメインミラー１０のアップ動作を行う。そして、次のステップ＃４１１にて、キャプチャー信号の取り込みを行い、画像処理部２０の所定の処理後、ＹＵＶ信号のデータを不図示のＲＡＭ中の画素展開エリア書き込む。このデータはＪＰＥＧ規格に準拠した画像圧縮処理を行った後、不図示のデータ格納手段へ画像ファイルとして書き込む。続いてステップ＃４１２にて、メインミラー１０のダウン動作を行う。その後、再びステップ＃４０６へ進み、スイッチＳＷ１のオン・オフ検出を行う。
【００２３】
次に、図５のフローチャートを用いて、電源がオンされたときの図１の交換レンズ２で行われる、パルスカウンタの初期化処理について説明する。
カメラ本体１の電源がオンされるか、あるいは交換レンズ２がカメラ本体１に装着されると、交換レンズ２はステップ＃５０１以下のカウンタ初期化処理を開始する。
ステップ＃５０２では、レンズマイコン７は絶対位置検出手段３０の出力、すなわちブラシ４２（図２）の信号を読み取り、フォーカシングレンズ４が現在どの領域に位置しているかを検出する。
ステップ＃５０３では、レンズマイコン７は記憶手段２７から記憶されているパルスカウント値を読み出す。
【００２４】
ステップ＃５０４では、ステップ＃５０３において、記憶手段２７にデータが書き込まれていたかを判別し、書き込まれていた場合はステップ＃５０５へ、書き込まれていなかった場合はステップ＃５０７へ進む。
ステップ＃５０５では、ステップ＃５０３で読み出されたカウント値が、ステップ＃５０２で検出したフォーカシングレンズ４の現在の領域内に有るか否かを判別する。現在の領域内の場合はステップ＃５０６に進み、現在の領域内でない場合はステップ＃５０７に進む。
ステップ＃５０６では、レンズマイコン７内のパルスカウンタの値を、記憶手段２７から読み出した値に初期化する。
ステップ＃５０７では、レンズマイコン７内のパルスカウンタの値を、絶対位置検出手段３０で検出された領域の中心のカウント値に初期化する。
ステップ＃５０８では、カウンタ初期化ルーチンを終了する。
【００２５】
以上のような処理を行うことにより、ＥＥＰＲＯＭの書き込みや読み出しのエラーによって、記憶されているカウント値と、フォーカシングレンズの実際の絶対位置を示すカウント値とがずれてしまった時は、その絶対値をより正確な値に校正することができる。この校正は、レンズマイコン７内のパルスカウンタの値を、絶対位置検出手段３０により検出された領域内のカウント値に再設定することにより行う。こうすることにより、より信頼性の高い絶対位置検出を行うことができる。
【００２６】
なお、ステップ＃５０７では、パルスカウンタの値を、絶対位置検出手段３０で検出された領域の中心のカウント値に初期化したが、これに限定されるものではない。例えば、撮影条件として被写体が至近である場合が多いときには、中心ではなく、より至近の値にカウンタを初期化しても良い。
【００２７】
次に、図６のフローチャートを用いて、電源オフされたときの交換レンズ２で行われる、パルスカウンタの書き込み処理について説明する。
カメラ本体１の電源がオフされるか、あるいは交換レンズ２がカメラ本体１から取り外されると、交換レンズ２は、補助電源２８を電源としてステップ＃６０１のカウント書き込み処理を開始する。なお、カメラ本体１の電源のオフと、交換レンズ２がカメラ本体１から取り外されたことは、不図示のリセットＩＣ等の電源検出手段、あるいは、レンズマイコン７内のＡ／Ｄコンバータで検出する。
【００２８】
ステップ＃６０１では、カウント値書き込み処理を開始する。
ステップ＃６０２では、前回パルスカウント値を記憶手段２７に書き込んでから、フォーカシングレンズ４の移動を行ったか否かを判別する。移動を行った場合は、ステップ＃６０３に進み、移動を行わなかった場合はステップ＃６０４に進む。
ステップ＃６０３では、現在のパルスカウント値を記憶手段２７に書き込む。ステップ＃６０４では、カウント値書き込み処理を終了する。
【００２９】
以上の処理では、前回パルスカウント値を記憶手段２７に書き込んでから、フォーカシングレンズ４の移動を行わなかった場合は、記憶手段２７に書き込み動作を行わないことを特徴としている。一般的に、ＥＥＰＲＯＭ等の記憶手段は、書き換え回数が規定されており、その回数を超えると書き込み動作が保証されないため、できるだけ書き換え回数を節約したほうが良い。上記の処理を行うことで、記憶手段２７への書き換え回数を最小限にすることができる。
【００３０】
以上説明したように、本実施例では、記憶手段２７に記憶されているカウント値と、フォーカシングレンズの実際の絶対値がずれてしまった時は、絶対位置検出手段３０により検出された領域内のカウント値に、パルスカウント値を再設定する。そのため、より信頼性の高い絶対位置検出を行うことができる。
また、本実施例では、前回パルスカウント値を記憶手段２７に書き込んでから、フォーカシングレンズ４の移動を行わなかった場合は、記憶手段２７に書き込み動作を行わないため、記憶手段２７への書き換え回数を最小限に抑制することができる。
【００３１】
以上、本発明の好ましい実施例について説明したが、本発明は上記実施例に限定されないことはいうまでもなく、その要旨の範囲内で種々の変形および変更が可能である。
例えば、上記実施例では、カメラ本体１と交換レンズ２が別体で構成された例を示したが、これに限ったものではなく、カメラ本体とレンズが一体型の構成にしても構わない。また、上記実施例では、カメラ本体１がディジタルカメラである例を示したが、これに限ったものではなく、銀塩カメラであっても構わない。また、上記実施例では、フォーカシングレンズの絶対位置検出の方法を示したが、これに限ったものではなく、ズーミングレンズの絶対位置検出に適用しても構わない。さらには、カメラ以外の光学機器、例えば光学顕微鏡のオートフォーカシング光学系等に適用しても構わない。
【図面の簡単な説明】
【００３２】
【図１】本発明の一実施例に係る光学機器の構成図である。
【図２】図１の機器における絶対位置検出手段の構成を示す模式図である。
【図３】図１の機器における絶対位置検出方法を示す模式図である。
【図４】図１におけるカメラ本体の動作を示すフローチャートである。
【図５】図１における交換レンズのパルスカウンタ初期化処理を示すフローチャートである。
【図６】図１における交換レンズのパルスカウント値書き込み処理を示すフローチャートである。
【符号の説明】
【００３３】
１：カメラ本体
２：交換レンズ
４：フォーカシングレンズ
７：レンズマイコン
２５：カメラマイコン
２７：記憶手段
２８：補助電源
２９：パルス発生手段
３０：絶対位置検出手段
【図１】
0004827526.tif 000002
【図２】
0004827526.tif 000003
【図３】
0004827526.tif 000004
【図４】
0004827526.tif 000005
【図５】
0004827526.tif 000006
【図６】
0004827526.tif 000007